(57)【特許請求の範囲】
【請求項１】
往復式の毛の切断用ヘッドと毛を引き抜くための回転式の脱毛用ヘッドとを本体に選択的に着脱自在とした美容器具であって、駆動用モータを内蔵する上記本体はギア回転出力部と偏心回転出力部とを備えており、切断用ヘッドは上記偏心回転出力部に連結されるとともに偏心回転を往復動に変換する往復駆動子を備え、脱毛用ヘッドは上記ギア回転出力部に噛み合って回転が伝達されるギア入力部を備え、更に各ヘッドは本体への装着時に本体が備える２つの出力部のうちの動力伝達に利用しない方の出力部をモータから切り離す解除手段を備えていることを特徴とする美容器具。
【請求項２】
往復式の毛の切断用ヘッドと毛を引き抜くための回転式の脱毛用ヘッドとを本体に選択的に着脱自在とした美容器具であって、駆動用モータを内蔵する上記本体はギア回転出力部と往復駆動出力部とを備えており、切断用ヘッドは上記往復駆動用出力部に連結されて往復駆動用出力部の往復動出力を受ける往復駆動子を備え、脱毛用ヘッドは上記ギア回転出力部に噛み合って回転が伝達されるギア入力部を備え、更に各ヘッドは本体への装着時に本体が備える２つの出力部のうちの動力伝達に利用しない方の出力部をモータから切り離す解除手段を備えていることを特徴とする美容器具。
【請求項３】
本体内には単一のモータと、該モータの出力軸に取り付けられたギアの回転を前記二つの出力部に振り分ける振り分け部とを備えており、切断用ヘッドのための出力部が本体のヘッド取り付け面の中央に配置されていることを特徴とする請求項１または２記載の美容器具。
【請求項４】
切断用ヘッドは多数の刃孔を有する外刃とこの外刃に内接する内刃とを備えているとともに、内刃の往復駆動用であって弾性を有する薄肉ヒンジと本体側の偏心回転出力部または往復駆動出力部に連結される往復駆動子を備えていることを特徴とする請求項１〜３のいずれか１項に記載の美容器具。
【発明の詳細な説明】
【０００１】
【発明の属する技術分野】
本発明は体毛の切断や脱毛のための美容器具に関するものである。
【０００２】
【従来の技術】
体毛の処理は切断で行う場合と脱毛で行う場合とがあるが、単一の機器で切断用ヘッドと脱毛用ヘッドとを取り替えることで、上記両処理を行うことができるようにした美容器具が米国特許第５６１１８０４号明細書や特開平１１−１５１１１７号公報に開示されている。
【０００３】
これらの美容器具では、モータを内蔵する本体に単一の出力部を設けて、いずれのヘッドを装着した場合にも、この出力部からヘッドにモータ出力が伝えられるようにしている。
【０００４】
【発明が解決しようとする課題】
しかし、切断用ヘッドは駆動負荷が小さくて高速での駆動が適しているのに対して、脱毛用ヘッドは駆動負荷が大きくて低速での駆動が適しており、脱毛用ヘッドに合わせた出力が出力部から得られるようにしたものにおいては、切断用ヘッドに所要の性能を持たせることが困難で、切断と脱毛の両機能を高度に発揮するものとはなっていない。また、本体に着脱される切断用ヘッド側に増速用のギア群を組み込めば、高速での駆動が可能となるが、増速用のギア群を組み込むことと、本体の出力部との連結精度を高く保つこととの両立も困難であり、どうしても精度上の理由による騒音が大きくなってしまう。また、本体側の出力部を高速回転とした時には、脱毛用ヘッド側に減速用のギア群を設ける必要が生じるものであり、同様に騒音が大きくなる。
【０００５】
本発明はこのような点に鑑みなされたものであって、その目的とするところは切断用ヘッドと脱毛用ヘッドとを夫々適切に且つ低騒音で駆動することができる美容器具を提供するにある。
【０００６】
【課題を解決するための手段】
しかして本発明は、往復式の毛の切断用ヘッドと毛を引き抜くための回転式の脱毛用ヘッドとを本体に選択的に着脱自在とした美容器具であって、駆動用モータを内蔵する上記本体はギア回転出力部と偏心回転出力部とを備えており、切断用ヘッドは上記偏心回転出力部に連結されるとともに偏心回転を往復動に変換する往復駆動子を備え、脱毛用ヘッドは上記ギア回転出力部に噛み合って回転が伝達されるギア入力部を備え、更に各ヘッドは本体への装着時に本体が備える２つの出力部のうちの動力伝達に利用しない方の出力部をモータから切り離す解除手段を備えていることに第１の特徴を有しており、駆動用モータを内蔵する上記本体はギア回転出力部と往復駆動出力部とを備えており、切断用ヘッドは上記往復駆動用出力部に連結されて往復駆動用出力部の往復動出力を受ける往復駆動子を備え、脱毛用ヘッドは上記ギア回転出力部に噛み合って回転が伝達されるギア入力部を備え、更に各ヘッドは本体への装着時に本体が備える２つの出力部のうちの動力伝達に利用しない方の出力部をモータから切り離す解除手段を備えていることに第２の特徴を有している。本体側に各ヘッド用の出力部を個別に設けることで、各出力部に各ヘッドに適した出力を出すことができるようにしたものである。
【０００７】
また、各ヘッドに本体への装着時に本体が備える２つの出力部のうちの動力伝達に利用しない方の出力部をモータから切り離す解除手段を設けることで、駆動負荷の軽減及び騒音の低減を図ることができるようにしたものである。
【０００８】
本体内には単一のモータと、該モータの出力軸に取り付けられたギアの回転を前記二つの出力部に振り分ける振り分け部とを設けて、切断用ヘッドのための出力部が本体のヘッド取り付け面の中央に配置するのが好ましい。
【００１０】
さらに、切断用ヘッドは多数の刃孔を有する外刃とこの外刃に内接する内刃とを備えているとともに、内刃の往復駆動用であって弾性を有する薄肉ヒンジと本体側の偏心回転出力部または往復駆動出力部に連結される往復駆動子を備えているものを好適に用いることができる。
【００１１】
【発明の実施の形態】
以下本発明を実施の形態の一例に基づいて詳述すると、この美容器具は、モータ１１を内蔵している本体ケーシング１に対して、切断用ヘッド２Ｈと脱毛ヘッド１Ｈの２種の除毛ヘッドＨが選択的に着脱自在とされたものである。
【００１２】
２つ割りで形成されたハウジング１０内に本体側駆動ブロックを複数のゴムブッシング１８で支持して配している本体ケーシング１から説明すると、ハウジング１０の下端部には電源ジャック１００を、ハウジング１０の前面部にはスイッチ１０１を配設している。
【００１３】
上記駆動ブロックは、図５に示すように、コ字形をしたモータケース４にモータ１１を横置きで固定し、モータケース４の側部にモータカバー４０１を取り付け、片側にギアカバー４０２を取り付けたもので、モータ１１の出力軸に圧入固定したピニオン（ギア）１２と、ギアカバー４０２に軸４０２ａで支持した中間ギア１３とが噛み合っている。該中間ギア１３はその一方に垂直軸４０２ｂによって支持されたギア１４と噛み合うフェイスギア１３１を備えている。ギア１４は垂直軸４０２ｃによって支持されているとともに偏心ピン１５１を上端に備えている偏心出力ギア１５に噛み合っている。
【００１４】
ここで、上記ギア１４は、軸４０２ｂの軸方向にスライド自在となっているとともに、ばね１４１によって上方に付勢されており、該付勢によって、ギア１４はフェイスギア１３１の回転を偏心出力ギア１５に伝達する状態を保っている。また、偏心出力ギア１５も軸４０２ｃに対して軸方向にスライド自在となっており、偏心出力ギア１５もそのギア１４との噛み合い部の形状の関係から、上記ばね１４１によって上方へ付勢されたものとなっている。
【００１５】
また、本体ケーシング１内に水平軸４０２ｄにスライド自在に取り付けられた回転出力ギア１９が中間ギア１３のギア部１３２に噛み合う方向にばね１９１で付勢されて配設されている。
【００１６】
ここにおいて、上記偏心ピン１５１を備えた偏心出力ギア１５が切断用ヘッド２Ｈに偏心回転を出力する偏心回転出力部、回転出力ギア１９が脱毛用ヘッド１Ｈに回転を出力するギア回転出力部となっているもので、上記中間ギア１３が偏心回転出力部とギア回転出力部とにモータ１１の回転を振り分ける振り分け部となっている。そして偏心出力ギア１５が本体ケーシング１の上面中央部に位置しているのに対して、回転出力ギア１９は本体ケーシング１の一側端寄りに位置している。
【００１７】
また、本体ケーシング１の上面に配した上カバー９には、トンネル部９ａを設けているとともに、該トンネル部９ａには左右一対の保持フック１６，１６をスライド自在にはめ込んで、両保持フック１６，１６間には保持フック１６を外側に向けて付勢するばね１６１（図８参照）を配置してある。なお、前記回転出力ギア１９は、保持フック１６に設けた開口１６ｅを通じて本体ケーシング１の上方に一部を突出させており、偏心出力ギア１５は保持フック１６，１６間の空間を通じて本体ケーシング１の上方に上端部を突出させている。
【００１８】
切断用ヘッド２Ｈは、図５に示すように、切断ヘッドユニットケース７０と、フレーム７５と基台６０、外刃７７、内刃７４、トリマー刃Ｔ、そして往復駆動子６７とからなるもので、下面側に取り付け用係止部６０ａを備えた基台６０に設けたボス６６ｂに、往復駆動子６７の両側端のＵ字形をなして弾性を有している薄肉ヒンジ６７ｂの先端部を固定しており、往復駆動子６７の上方に突出する駆動杆６７ｃに内刃７４が取り付けられているとともに該内刃７４を上方に付勢してフレーム７５で支持された外刃７７に押し付ける押し上げばね６８が取り付けられている。図中７１は防塵ゴム、７２は押さえ板である。トリマー刃Ｔは往復駆動子６７に設けたトリマー駆動子６７Ｔによって駆動される。
【００１９】
該切断用ヘッド２Ｈは、図１に示すように、その取り付け用係止部６０ａを本体ケーシング１の保持フック１６に係合させることで本体ケーシング１に装着されるものであり、この時、上記偏心ピン１５１は切断用ヘッド２Ｈ内の往復駆動子６７の下端に設けられた長孔６７ａと係合して、偏心回転出力部の偏心ピン１５１の偏心回転が往復駆動子６７を往復駆動させる。
【００２０】
また、この時には、基台６０に設けた解除手段である傾斜面６０ｂが本体ケーシング１内に軸４０２ｄにスライド自在に取り付けられた回転出力ギア１９をばね１９１に抗してスライドさせて、回転出力ギア１９を中間ギア１３のギア部１３２から離すために、モータ１１の回転は回転出力ギア１９に伝えられることがない。
【００２１】
次に脱毛用ヘッド１Ｈであるが、これは図６に示すように、脱毛ブロック２と脱毛基台８と基台カバー８１、そしてフレーム５で構成されたもので、脱毛基台８の下面には一対の取付用係止部８ｂ，８ｂが形成されている。
【００２２】
脱毛ブロック２は、図１０〜図１２に示すように、爪取付台５６に脱毛ヘッド２ａの回転軸５６ｊに平行に且つ円周上に連続して均等に３６°の間隔で配置された１０個の爪ブロック６９と、爪ブロック６９の可動爪３を開閉させるための開閉レバー３０と、爪取付台５６に連結される爪取付台ギア２０、そして水平軸４００によって脱毛基台８に支持されるとともに爪取付台ギア２０と噛み合うギア４０とから構成されている。
【００２３】
上記爪ブロック６９は、一対の可動爪３と、可動爪３間に設けられて可動爪３を回転軸方向へ揺動させるための支点部材と、可動爪３を固定爪５６ｋに対して開かせるためのばね８２とで構成されており、支点部材は図示例では薄板の枠体で形成された支点部材８１ａと支点部材８１ａを圧入固定させる支点受け８１ｂとで構成している。
【００２４】
円筒状をした爪取付台５６は、その円周上に連続して３６°の均等な角度で凹部５７が設けられており、該凹部５７の軸方向両側に上述の固定爪５６ｋを爪取付台５６と一体に形成してある。
【００２５】
そして、上記爪ブロック６８は、爪取付台５６の総計１０個の上記凹部５７に回転軸と直交する方向から組み込まれ、爪取付台５６に回転軸と平行に設けた孔５７ａに挿通した軸３ｊによって保持される。
【００２６】
爪取付台５６には軸方向に貫通する複数の孔５８が同心円上に等間隔で設けられていて、対の開閉レバー３０，３０が各孔５８にスライド自在に取り付けられている。ここで、一方の開閉レバー３０は、対をなしている２つの可動爪３，３うちの一方に一端３０ａを当接させ、他方の開閉レバー３０は他方の可動爪３に一端３０ａを当接させるものであり、両開閉レバー３０，３０の各他端は、爪取付台５６の両端面から夫々突出している。
【００２７】
一方、基台８０の爪取付台５６用の軸５６ｊを受けている部分には、ローラ型のカム９０が軸９０ｊによって回転自在に取り付けられている。このカム９０は、爪取付台５６が回転する時、爪取付台５６の周方向に並んでいる複数本の開閉レバー３０上記他端を順次押して爪取付台５６の軸方向に動かすことで、可動爪３をばね８２に抗して揺動させて、可動爪３と固定爪５６ｋとからなる脱毛爪を閉じさせる。脱毛ブロック２をその軸回りに回転させることで爪ブロック６６９を開閉させれば、爪ブロック６９で挟持した毛は脱毛ブロック２の回転に伴って引き抜く動作を行うことになる。
【００２８】
しかして、図３及び図４に示すように、本体ケーシング１に対して上記脱毛用ヘッド１Ｈを取り付けた時には、ギア入力部であるギア４０がギア回転出力部である回転出力ギア１９と噛み合ってモータ１１の回転を脱毛ブロック２に伝えるものであり、また、脱毛ヘッド１Ｈの下端が偏心ピン１５を押し下げて、偏心出力ギア１５及びギア１４をばね１４１に抗して押し下げることから、フェイスギア１３１とギア１４の噛み合いを外すために、モータ１１の回転がギア１４及び偏心出力ギア１５に伝わることがない。この場合、脱毛ヘッド１Ｈの下端が解除手段を構成していることになる。
【００２９】
図１３〜図１５に示すものは、本体ケーシング１０００内において偏心回転運動を往復運動に変換し、該往復運動を切断用ヘッド２Ｈの往復駆動子６７に伝達するようにしたものを示しており、ギア１４と噛み合う偏心ギア１００１と、該偏心ギア１００１が備える偏心ピン１００２に、往復出力部材１０１０の下端の長孔１０１１が係合している。軸１０１２は往復出力部材１０１０の往復動をガイドする軸である。切断用ヘッド２ｈを本体ケーシング１０００に装着した時には、往復駆動出力部である往復出力部材１０１０の上端に設けた突起１０１３が往復駆動子６７の長孔６７ａに係合して、往復動を切断用ヘッド２Ｈ側に伝える。
【００３０】
図１６〜図１９に示すものは、本体ケーシング２０００内にモータ１１００を縦置きしたものを示しており、モータ１１００の出力軸に偏心ピン１５１０を備えた偏心出力ギア１５００を圧入固定している。切断用ヘッド２はその往復駆動子６７の長孔６７ａに偏心回転出力部である偏心出力ギア１５００の偏心ピン１５１０が係合して、モータ１１００の回転による往復駆動子６７の往復動がなされる。
【００３１】
また、上記偏心出力ギア１５００には、垂直軸４０２ｂで支持されたギア１４が噛み合っているとともに、該ギア１４は中間ギア１３のフェイスギア１３１に噛み合っており、中間ギア１３のギア部１３２に回転出力ギア１９が噛み合っている。このために、脱毛用ヘッド１Ｈを装着した時には、ギア入力部であるギア４０がギア回転出力部である回転出力ギア１９に噛み合って脱毛用ヘッド１Ｈの回転駆動がなされる。
【００３２】
なお、切断用ヘッド２Ｈを装着した時には、回転出力ギア１９が前述のものと同様にモータ１１から切り離されるが、脱毛用ヘッド１Ｈを装着した時には、偏心出力ギア１５００が脱毛用ヘッド１Ｈへの動力伝達経路中の部材となっていることから、脱毛用ヘッド１Ｈの下面には凹所８０００を設けて、偏心出力ギア１５００とその偏心ピン１５１０を逃げるようにしている。
【００３３】
なお、切断用ヘッド２Ｈの駆動のための偏心ピン１５、１５１０や突起１０１３と長孔６７ａとの関係は逆となっていてもよい。
【００３４】
【発明の効果】
以上のように本発明においては、本体側に切断用ヘッドのための偏心回転出力部もしくは往復駆動出力部と脱毛用ヘッドのためのギア回転出力部を個別に設けているために、各出力部に各ヘッドに適した出力を出すことができるものであり、本体側の出力部に着脱自在に連結されることから、この連結部分の精度上の理由でがたつきが生じやすくなる各ヘッド側に増速用のギアあるいは減速用のギアを組み込む必要がなく、このために本体から各ヘッドに至るまでの駆動伝達精度を向上させることができて、駆動騒音の低いものとすることができる。
【００３５】
しかも、各ヘッドに本体への装着時に本体が備える２つの出力部のうちの動力伝達に利用しない方の出力部をモータから切り離す解除手段を設けているために、駆動負荷の軽減及び騒音の低減をさらに図ることができる。
【００３６】
本体内には単一のモータと、該モータの出力軸に取り付けられたギアの回転を二つの出力部に振り分ける振り分け部とを設けて、切断用ヘッドのための出力部が本体のヘッド取り付け面の中央に配置すると、本体の小型化と、駆動力伝達の効率の点で好ましい結果を得ることができる。
【００３８】
さらに、切断用ヘッドは多数の刃孔を有する外刃とこの外刃に内接する内刃とを備えているとともに、内刃の往復駆動用であって弾性を有する薄肉ヒンジと本体側の偏心回転出力部または往復駆動出力部に連結される往復駆動子を備えているものが、切断用ヘッドの小型化と組立性の点で好ましい。
【図面の簡単な説明】
【図１】  本発明の実施の形態の一例を示すもので、切断用ヘッドを装着した状態の縦断面図である。
【図２】  同上の横断面図である。
【図３】  同上の脱毛用ヘッドを装着した状態の縦断面図である。
【図４】  同上の横断面図である。
【図５】  同上の本体ケーシングと切断用ヘッドの分解縦断面図である。
【図６】  同上の脱毛用ヘッドの縦断面図である。
【図７】  同上の本体ケーシングの平面図である。
【図８】  同上の本体ケーシングと切断用ヘッドの分解横断面図である。
【図９】  同上の本体ケーシングと脱毛用ヘッドの分解横断面図である。
【図１０】  同上の脱毛用ヘッドにおける脱毛ブロックの縦断面図である。
【図１１】  同上の脱毛ブロックの正面図である。
【図１２】  同上の脱毛爪の展開図である。
【図１３】  他例における切断用ヘッドを装着した状態の縦断面図である。
【図１４】  同上の横断面図である。
【図１５】  同上の脱毛用ヘッドを装着した状態の縦断面図である。
【図１６】  更に他例における切断用ヘッドを装着した状態の縦断面図である。
【図１７】  同上の横断面図である。
【図１８】  同上の脱毛用ヘッドを装着した状態の縦断面図である。
【図１９】  同上の横断面図である。
【符号の説明】
１  本体ケーシング
１Ｈ  脱毛用ヘッド
２Ｈ  切断用ヘッド
１５  偏心回転出力ギア（偏心回転出力部）
１９  回転出力ギア（ギア回転出力部）
６７  往復駆動子
【図１】
0003804356.tif 000002
【図２】
0003804356.tif 000003
【図３】
0003804356.tif 000004
【図４】
0003804356.tif 000005
【図５】
0003804356.tif 000006
【図６】
0003804356.tif 000007
【図７】
0003804356.tif 000008
【図８】
0003804356.tif 000009
【図９】
0003804356.tif 000010
【図１０】
0003804356.tif 000011
【図１１】
0003804356.tif 000012
【図１２】
0003804356.tif 000013
【図１３】
0003804356.tif 000014
【図１４】
0003804356.tif 000015
【図１５】
0003804356.tif 000016
【図１６】
0003804356.tif 000017
【図１７】
0003804356.tif 000018
【図１８】
0003804356.tif 000019
【図１９】
0003804356.tif 000020